(57)【要約】      （修正有）【課題】マッサージ装置と、現金決済に係る装置と、電子決済に係る装置と、を隣接し設置することで、利用料金の支払いを好適に受け付けるマッサージ装置を提供する。【解決手段】現金決済又は電子決済による決済処理に基いて、マッサージ動作を実施するマッサージ装置であって、前記マッサージ動作を行うマッサージ装置本体２と、現金検知部を有する現金決済装置３と、電子決済受付部４１、電子決済部４２及び電子決済表示部４３を有する電子決済装置４と、マッサージ動作に係る処理命令を決定する管理装置と、を備え、硬貨による支払額を集計する現金決済受付手段３１を有し、前記電子決済部は、電子決済情報を授受する電子決済受付手段と、前記電子決済情報を送受信する電子決済手段を有し、前記管理装置は、前記決済処理に基いて、前記マッサージ動作を前記マッサージ装置本体に実施させる処理命令を行う管理手段を有することを特徴とするマッサージ装置。【選択図】図１
2020039830.tif 000002
【特許請求の範囲】
【請求項１】
現金決済又は電子決済による決済処理に基いて、マッサージ動作を実施するマッサージ装置であって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備え、
硬貨による支払額を集計する現金決済受付手段を有し、
前記電子決済部は、電子決済情報を授受する電子決済受付手段と、
前記電子決済情報を送受信する電子決済手段を有し、
前記管理装置は、前記決済処理に基いて、前記マッサージ動作を前記マッサージ装置本体に実施させる処理命令を行う管理手段を有することを特徴とするマッサージ装置。
【請求項２】
前記現金決済装置は、前記マッサージ装置本体に当接し、
前記電子決済装置は、アタッチメントを介して、前記現金決済装置に対して着脱可能であることを特徴とする請求項１に記載のマッサージ装置。
【請求項３】
前記電子決済受付手段は、前記電子決済情報を保持する端末又は情報記憶カードから、
近接場型の無線通信により、前記電子決済情報を授受することを特徴とする請求項１又は２に記載のマッサージ装置。
【請求項４】
前記現金決済装置は現金決済表示部を有し、
前記現金決済表示部は、前記現金決済受付手段により集計された前記現金決済の支払額を表示処理する現金決済表示手段を有することを特徴とする請求項１〜３の何れかに記載のマッサージ装置。
【請求項５】
前記電子決済表示部は、前記電子決済手段により受信した前記電子決済の支払額を表示処理する電子決済表示手段を有することを特徴とする請求項１〜４の何れかに記載のマッサージ装置。
【請求項６】
前記アタッチメントは、傾斜面を有し、
前記傾斜面は、前記マッサージ装置本体に対向し、下方に向かうに伴い前記マッサージ装置本体に近接するように傾斜していることを特徴とする請求項２に記載のマッサージ装置。
【請求項７】
現金決済又は電子決済による決済処理に基いて、マッサージ動作を実施するマッサージ制御方法であって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備えるマッサージ装置において、
硬貨による支払額を集計する現金決済受付ステップと、
前記電子決済部は、電子決済情報を授受する電子決済受付ステップと、
前記電子決済情報を送受信する電子決済ステップと、
前記管理装置は、前記決済処理に基いて、前記マッサージ動作を前記マッサージ装置本体に実施させる処理命令を行う管理ステップと、を有することを特徴とするマッサージ制御方法。
【請求項８】
現金決済又は電子決済による決済処理に基いて、マッサージ動作を実施するマッサージ制御プログラムであって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備えるマッサージ装置を、
硬貨による支払額を集計する現金決済受付手段と、
電子決済情報を授受する電子決済受付手段と、
前記電子決済情報を送受信する電子決済手段と、
前記決済処理に基いて、前記マッサージ動作を前記マッサージ装置本体に実施させる処理命令を行う管理手段と、として機能させることを特徴とするマッサージ制御プログラム。
【発明の詳細な説明】
【技術分野】
【０００１】
本発明は、マッサージ装置、マッサージ制御方法及びマッサージ制御プログラムに関する。
【背景技術】
【０００２】
近年、マッサージ装置は、公衆浴場、宿泊施設ならびに娯楽施設に設置され、公衆一般が利用する筐体として認知されている。
【０００３】
特許文献１には、硬貨のみならず、プリペイドカードを投入することで、マッサージ器を作動できるマッサージチェアが記載されている（引用文献１）。
【先行技術文献】
【特許文献】
【０００４】
【特許文献１】実用新案登録第３０３８５５０号公報
【発明の概要】
【発明が解決しようとする課題】
【０００５】
近年、硬貨又は磁気カード等に加えて、ＦｅｌｉＣａ（登録商標）を始めとする、非接触型ＩＣ（Ｉｎｔｅｇｒａｔｅｄ  Ｃｉｒｃｕｉｔ）カードによる、電子決済に対応したマッサージ装置の需要が高まっている。
【０００６】
硬貨等による現金決済とＩＣカードによる電子決済との両方に対応するためには、現金決済のための現金投入口と、電子決済を受け付けるための端末と、備える必要がある。
【０００７】
しかしながら、上述の現金投入口と電子決済を受け付けるための端末とをマッサージ装置に付属する場合、現金投入口又は端末の設置箇所によっては、ユーザが該設置箇所を把握することなく、マッサージサービスの利用を試みる恐れがある。
【０００８】
本発明は、上記のような実状に鑑みてなされたものであり、利用料金の支払いを好適に受け付けるマッサージ装置を提供することを課題とする。
【課題を解決するための手段】
【０００９】
上記課題を解決するために、本発明は、現金決済又は電子決済による決済処理に基いて、マッサージ動作を実施するマッサージ装置であって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備え、
前記硬貨による支払額を集計する現金決済受付手段を有し、
前記電子決済部は、電子決済情報を授受する電子決済受付手段と、
前記電子決済情報を送受信する電子決済手段を有し、
前記管理装置は、前記決済処理に基いて、前記マッサージ動作を前記マッサージ装置本体に実施させる処理命令を行う管理手段を有することを特徴とする。
【００１０】
このような構成とすることで、現金決済又は電子決済による利用料金の支払いを受け付けるマッサージ装置を実現できる。
【００１１】
本発明の好ましい形態では、前記現金決済装置は、前記マッサージ装置本体に当接し、
前記電子決済装置は、アタッチメントを介して、前記現金決済装置に対して着脱可能であることを特徴とする。
このような構成とすることで、マッサージ装置の構成に柔軟性を付与できる。
【００１２】
本発明の好ましい形態では、前記電子決済受付手段は、前記電子決済情報を保持する端末又は情報記憶カードから、近接場型の無線通信により、前記電子決済情報を授受することを特徴とする特徴とする。
このような構成とすることで、簡便にマッサージ料金の支払いが可能となる。
【００１３】
本発明の好ましい形態では、前記現金決済装置は現金決済表示部を有し、
前記現金決済表示部は、前記現金決済受付手段により集計された前記現金決済の支払額を表示処理する現金決済表示手段を有することを特徴とする。
このような構成とすることで、現金決済支払い額を逐次、確認できる。
【００１４】
本発明の好ましい形態では、前記電子決済表示部は、前記電子決済手段により受信した前記電子決済の支払額を表示処理する電子決済表示手段を有することを特徴とする。また、前記電子決済表示部は、前記電子決済手段により受信した前記電子決済の支払額を表示処理する電子決済表示手段を有することを特徴とする。
このような構成とすることで、電子決済支払額を逐次、確認できる。
【００１５】
本発明は、現金決済又は電子決済による決済処理に基いて、マッサージ動作を実施するマッサージ制御方法であって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備えるマッサージ装置において、
硬貨による支払額を集計する現金決済受付ステップと、
前記電子決済部は、電子決済情報を授受する電子決済受付ステップと、
前記電子決済情報を送受信する電子決済ステップと、
前記管理装置は、前記決済処理に基いて、前記マッサージ動作を前記マッサージ装置本体に実施させる処理命令を行う管理ステップと、を有することを特徴とする。
【００１６】
本発明は、現金決済又は電子決済による決済処理に基いて、マッサージ動作を実施するマッサージ制御プログラムであって、
前記マッサージ動作を行うマッサージ装置本体と、現金検知部を有する現金決済装置と、電子決済受付部、電子決済部及び電子決済表示部を有する電子決済装置と、マッサージ動作に係る処理命令を決定する管理装置と、を備えるマッサージ装置を、
硬貨による支払額を集計する現金決済受付手段と、
電子決済情報を授受する電子決済受付手段と、
前記電子決済情報を送受信する電子決済手段と、
前記決済処理に基いて、前記マッサージ動作を前記マッサージ装置本体に実施させる処理命令を行う管理手段と、として機能させることを特徴とする。
【発明の効果】
【００１７】
本発明によれば、利用料金の支払いを好適に受け付けるマッサージ装置を提供できる。
【図面の簡単な説明】
【００１８】
【図１】本発明の実施形態に係るマッサージ装置の模式図である。
【図２】本発明の実施形態に係るマッサージ装置の演算処理を行う装置のハードウェア構成図である。
【図３】本発明の実施形態に係るマッサージ装置の機能ブロック図である。
【図４】本発明の実施形態に係る決済処理と、決済処理に基づくマッサージ動作と、に係る処理フローチャートを図示している。
【図５】本発明の実施形態に係る現金決済表示画面及び電子決済表示画面の模式図である。
【発明を実施するための形態】
【００１９】
以下、図面を用いて、本発明に係るマッサージ装置について説明する。なお、以下に示す実施形態は本発明の一例であり、本発明を以下の実施形態に限定するものではなく、様々な構成を採用することもできる。
【００２０】
例えば、本実施形態では、マッサージ装置の構成、動作などについて説明するが、同様の構成の方法、コンピュータプログラムに基づき制御される装置も、同様の作用効果を奏することができる。また、プログラムは、記録媒体に記憶させてもよい。該記録媒体は、制御装置としてのコンピュータにプログラムをインストールする用に供される。ここで、該記録媒体は、例えばＣＤ−ＲＯＭ等の非一過性の記録媒体であっても良い。
【００２１】
図１は、本発明の実施形態に係るマッサージ装置１の模式図を示している。
【００２２】
図１（ａ）は、マッサージ装置１を図示している。マッサージ装置１は、マッサージ装置本体２と、現金決済装置３と、電子決済装置４と、管理装置５と、を備える。
【００２３】
図１（ａ）に示す通り、マッサージ装置本体２は、マッサージ部２１と、マッサージ操作部２２と、を備える。
【００２４】
マッサージ部２１は、マッサージ動作を行うための外力発生器２１Ａ及び外力検出器２１Ｂを備える。外力発生器２１Ａは、１以上の振動子を備え、ローラーの形態をとる構成が好ましい。外力検出器２１Ｂは、該振動子を介してユーザによる押圧を検出する構成が好ましい。
【００２５】
マッサージ操作部２２は、マッサージ動作に対応付けられたマッサージ動作選択ボタン２２Ａを備える。該ボタンは、所定の端末に複数配置され、マッサージ部２１と有線又は無線ネットワークを介して通信する構成としてもよい。
【００２６】
図１（ｂ）は、現金決済装置３を図示している。現金決済装置３は、現金決済受付部３１と、現金決済表示部３２と、を備える。
【００２７】
現金決済受付部３１は、硬貨投入口３１Ａと、現金保管部３１Ｂと、を備え、現金決済表示部３２は、現金決済表示画面３２Ａを備える。
【００２８】
図１（ｃ）は、電子決済装置４を図示している。電子決済装置４は、電子決済受付部４１と、電子決済部４２と、電子決済表示部４３と、を備える。
【００２９】
電子決済受付部４１は、読取機４１Ａを備え、電子決済部４２は、電子決済情報格納部４２Ａを備え、電子決済表示部４３は、電子決済表示画面４３Ａを備える。
【００３０】
読取機４１Ａは、ユーザ端末又は情報記憶カードと短距離通信を行うための、所定のアンテナパターンを形成したプリント基板を内蔵する検知面を具備する。なお、検知面裏面における所定以上の電気伝導率を有する金属材料による影響を抑えるために、電波吸収体を具備する構成としてもよい。
【００３１】
管理装置５は、管理部５１と、通信部５２と、を備える。図２は管理装置５のハードウェア構成図を示している。管理装置５は、ＣＰＵ等の演算装置５１Ａ、ＲＡＭ等の主記憶装置５１Ｂ、入力装置５１Ｃ、出力装置５１Ｄ、ＨＤＤやＳＳＤ、フラッシュメモリ等の補助記憶装置を備えた、パーソナルコンピュータ、スマートフォン、タブレット端末等のコンピュータ装置を用いることができる。また、記憶装置５１Ｅは、オペレーティングシステム５１Ｆと、オペレーティングシステム５１Ｆと協調してその機能を発揮するマッサージ制御プログラム５１Ｇ等と、が記録されている。
【００３２】
本実施形態におけるマッサージ装置本体２、現金決済装置３及び電子決済装置４は、隣接していることが好ましい。このとき、現金決済装置３はマッサージ装置本体２の端部又は側面に当接し、電子決済装置４は、現金決済装置３の端部又は側面に当接している。なお、本実施形態における現金決済装置３は、コインタイマーの態様である構成としてもよい。
【００３３】
電子決済装置４は、アタッチメントＡＭＴ１及びＡＭＴ２を介して、現金決済装置３に対して着脱できる。このとき、該アタッチメントＡＭＴ２は、傾斜面を有し、前記マッサージ装置本体２に対向し、下方に向かうに伴いマッサージ装置本体２に近接するように傾斜している構成が好ましい。
【００３４】
本実施形態では、アタッチメントＡＭＴ２上に、電子決済装置４を配置することにより、電子決済部４２及び電子決済表示部４３が傾斜する。そのため、マッサージ装置本体２に座したユーザによる、電子決済部４２へのユーザ端末又は情報記憶カードの近接が、容易となる。また、該ユーザによる電子決済表示部４３の視認が、容易となる。
【００３５】
図３は、本実施形態におけるマッサージ装置の機能ブロック図を示している。
【００３６】
マッサージ装置１は、マッサージ手段２０１、マッサージ操作手段２０２、現金決済受付手段３０１、現金決済表示手段３０２、電子決済受付手段４０１、電子決済手段４０２、電子決済表示手段４０３及び管理手段５０１を、有する。
【００３７】
マッサージ手段２０１は、マッサージ部２１において、外力発生器２１Ａを用いてマッサージ動作に係る振動を発生させる。このとき、ユーザの身体動作を起因として発生した外力を、外力検出器２１Ｂが検出することを転機として、該振動が発生する構成としてもよい。なお、該検出に基きユーザの体型を推定し、該振動を調整する構成としてもよい。
【００３８】
マッサージ操作手段２０２は、マッサージ操作部２２において、マッサージ動作選択ボタン２２Ａの押下を検知する。このとき、マッサージ動作選択ボタン２２Ａは、所定の強弱及び時間の１以上のマッサージ動作に係る振動パターンと、マッサージ動作に係る振動の強弱と、マッサージ動作に係る振動時間と、に対応付けられ、マッサージ操作手段２０２により、該押下による入力処理が受け付けられる構成が好ましい。
【００３９】
現金決済受付手段３０１は、硬貨投入口３１Ａを介して投入された硬貨を検知し、該硬貨を集計し、投入された現金の総額を算出する。このとき、所定の硬貨の投入を受け付ける構成が好ましい。
【００４０】
現金決済表示手段３０２は、現金決済表示部３２において、現金決済受付手段３０１により受付／集計された現金の総額を、現金決済表示画面３２Ａ上に表示処理する。該総額は、現金投入が行われる都度、更新されることが好ましい。
【００４１】
電子決済受付手段４０１は、電子決済受付部４１において、読取機４１Ａ及び近距離無線通信ネットワークを介して、電子決済情報を保持するユーザ端末又は情報記憶カードから、該電子決済情報を授受する。このとき、読取機４１Ａは、電子決済情報の授受が可能であることを示すために、発光ダイオード素子を具備し、所定の発光パターンに基いて点滅する構成が好ましい。
【００４２】
電子決済手段４０２は、通信部５２を介して、電子決済情報及びマッサージ部２１の識別情報を含む電子決済情報を送信し、電子決済の結果を受信する。このとき、読取機４１Ａは、該受信を転機として、所定パターンに基づく発光ダイオード素子の点滅を行う構成が好ましい。
【００４３】
電子決済表示手段４０３は、電子決済手段４０２が電子決済の結果を受信することを転機として、該電子決済によって決済処理が行われた支払額を、電子決済表示画面４３Ａに表示処理する。このとき該表示処理は、電子決済手段４０２による電子決済の結果の受信を転機とした、読取機４１Ａの点滅と同時に行われる構成としてもよい。
【００４４】
現金決済表示手段３０２及び電子決済表示手段４０３は、マッサージ操作手段２０２による入力受付が行われることを転機として、該入力に対応付けられた料金を、現金決済表示画面３２Ａ及び電子決済表示画面４３Ａに表示処理する。このとき、現金決済又は電子決済による支払額と、該料金とを同時に表示処理する構成が好ましい。
【００４５】
管理手段５０１は、現金決済又は電子決済を起点とした決済処理と、マッサージ操作手段２０２によるマッサージ動作に係る入力受付と、が行われることを転機として、マッサージ部２１に、マッサージ動作を実行させる。また、通信手段５０２は、通信部５２と有線又は無線ネットワークを介して、電子決済情報を送受信する。
【００４６】
本実施形態では、現金決済表示画面３２Ａ又は電子決済表示画面４３Ａにおける支払額の表示処理と、該振動の発生と、が同時に行われる構成としてもよい。また、読取機４１Ａにおける点滅と、該振動の発生とが同時に行われる構成としてもよい。
【００４７】
なお、本実施形態における現金は、法定通貨のみならず、店舗内で利用が認められる専用コイン等を含めてもよい。
【００４８】
図４は、マッサージ動作選択及び決済処理を転機として行われるマッサージ動作に係る処理フローチャートである。
【００４９】
マッサージ操作手段２０２によってマッサージ動作に係る情報の入力が行われた場合（ステップＳ１０１でＹｅｓ（Ｙ））、現金決済表示手段３０２又は電子決済表示手段４０３により、マッサージ動作に係る料金が表示処理される（ステップＳ１０２）。
【００５０】
マッサージ動作に係る料金が表示処理（ステップＳ１０２）された後、現金決済受付手段３０１又は電子決済受付手段４０１により決済処理が行われた場合（ステップＳ１０３ＡでＹｅｓ（Ｙ））、現金決済表示手段３０２又は電子決済表示手段４０３により、支払額が表示処理される（ステップＳ１０４）。
該受付を転機とした該決済処理が行われなかった場合（ステップＳ１０３ＡでＮｏ（Ｎ））、ステップＳ１０３Ａ直前の状態に遷移する。
【００５１】
マッサージ操作手段２０２によるボタン押下の検知を転機としたマッサージ動作に係る情報の入力が行われなかった場合（ステップＳ１０１でＮｏ（Ｎ））、現金決済受付手段３０１又は電子決済受付手段４０１による決済処理が行われることで（ステップＳ１０３ＢでＹｅｓ（Ｙ））、現金決済表示手段３０２又は電子決済表示手段４０３により、支払額が表示処理される（ステップＳ１０４）。
該受付を転機とした該決済処理が行われなかった場合（ステップＳ１０３ＡでＮｏ（Ｎ））、ステップＳ１０１直前の状態に遷移する。
【００５２】
現金決済又は電子決済による支払額の表示処理（ステップＳ１０４）が行われた後、該支払額がマッサージ動作に係る料金以上であった場合（ステップＳ１０５でＹｅｓ（Ｙ））、管理手段５０１はマッサージ動作としての振動発生に係る処理命令を決定し、マッサージ手段２０１に実行させる（ステップＳ１０６）。
このとき、ステップＳ１０３Ｂを経ていた場合、マッサージ動作選択（ステップＳ１０１Ａ）を経て、ステップＳ１０６は実行される。
【００５３】
決済処理による支払額がマッサージ動作に係る料金以上でなかった場合（ステップＳ１０５でＮｏ（Ｎ））、ステップＳ１０１直前の状態に遷移する。なお、マッサージ操作手段２０２によるボタン押下の検知を転機としたマッサージ動作に係る情報の入力が行われず、該料金が表示処理されていない場合、該料金が支払額以上であると判定する（ステップＳ１０５でＮｏ（Ｎ））。
【００５４】
なお、本実施形態では、所定額が、現金決済又は電子決済により支払われることを転機として、所定時間、マッサージ装置本体２が有するマッサージ動作に係る機能が開放される構成としてもよい。
【００５５】
本実施形態におけるマッサージ管理に係る表示処理について、図５に図示する。
【００５６】
図５（ａ）は、本実施形態における現金決済表示画面３２Ａを図示している。
【００５７】
現金決済表示画面３２Ａは、マッサージ内容表示画面３２Ａ１と、料金表示画面３２Ａ２と、支払額表示画面３２Ａ３と、を有する。
【００５８】
図５（ｂ）は、本実施形態における電子決済表示画面４３Ａを図示している。
【００５９】
電子決済表示画面４３Ａは、マッサージ内容表示画面４３Ａ１と、料金表示画面４３Ａ２と、ＩＣカード種別表示画面４３Ａ３と、支払額表示画面４３Ａ４と、を有する。
【００６０】
ＩＣカード種別表示画面４３Ａ３では、ユーザが利用した端末又は情報記憶カードが保持する電子決済情報に基いて、Ｓｕｉｃａ（登録商標）、Ｅｄｙ（登録商標）等の、近接場型の非接触無線通信方式の電子決済サービスの種別を示す情報が、表示処理される。なお、本実施形態における電子決済は、ＰｉＴａＰａ（登録商標）等によるポストペイ型サービスに基づかない構成が好ましい。
【００６１】
本実施形態では、マッサージ装置１は、現金決済表示部３２、現金決済表示画面３２Ａ及び現金決済表示手段３０２に係る機能を、含まない構成としてもよい。
【００６２】
本実施形態では、マッサージ動作の料金に係る決済処理を、現金決済及び電子決済により行う構成としてもよい。このとき、現金決済による支払いで生じた不足額は、電子決済により支払われる。
【００６３】
本発明によれば、利用料金の支払いを好適に受け付けるマッサージ装置を提供できる。
【符号の説明】
【００６４】
１  マッサージ装置
２  マッサージ装置本体
３  現金決済装置
４  電子決済装置
５  管理装置
２１  マッサージ部
２２  マッサージ操作部
２１Ａ  外力発生器
２１Ｂ  外力検出器
２２Ａ  マッサージ動作選択ボタン
３１  現金決済受付部
３２  現金決済表示部
３１Ａ  硬貨投入口
３１Ｂ  現金保管部
３２Ａ  現金決済表示画面
４１  電子決済受付部
４２  電子決済部
４３  電子決済表示部
４１Ａ  読取機
４２Ａ  電子決済情報格納部
４３Ａ  電子決済表示画面
５１  管理部
５２  通信部
５１Ａ  ＣＰＵ
５１Ｂ  ＲＡＭ
５１Ｃ  入力装置
５１Ｄ  出力装置
５１Ｅ  記憶装置
５１Ｆ  オペレーティングシステム
５１Ｇ  マッサージ制御プログラム
ＮＷ  ネットワーク
ＡＭＴ１，ＡＭＴ２  アタッチメント
２０１  マッサージ手段
２０２  マッサージ操作手段
３０１  現金決済受付手段
３０２  現金決済表示手段
４０１  電子決済受付手段
４０２  電子決済手段
４０３  電子決済表示手段
５０１  管理手段
３２Ａ１  マッサージ内容表示画面
３２Ａ２  料金表示画面
３２Ａ３  支払額表示画面
４３Ａ１  マッサージ内容表示画面
４３Ａ２  料金表示画面
４３Ａ３  ＩＣカード種別表示画面
４３Ａ４  支払額表示画面
【図１】
2020039830.tif 000003
【図２】
2020039830.tif 000004
【図３】
2020039830.tif 000005
【図４】
2020039830.tif 000006
【図５】
2020039830.tif 000007